(57)【特許請求の範囲】
【請求項１】
ベッドの側部に設けられる複数の側柵間の隙間をカバーするベッド用連結柵であって、
基部材と、
この基部材に一端部が回動可能に連結された連結柵と、
上記基部材に設けられこの基部材を隣り合う一方の側柵の上部に係止手段を介して着脱可能に取付ける第１の帯状部材と、
上記連結柵の他端部に設けられこの他端部を隣り合う他方の側柵の上部に係止手段を介して着脱可能に取付ける第２の帯状部材とを具備し、
上記第２の帯状部材による上記連結柵の他端部の取付け状態を解除したときに、この連結柵は一方の側柵の上部に回動可能であることを特徴とするベッド用連結柵。
【発明の詳細な説明】
【０００１】
【発明の属する技術分野】
この発明はベッドの側部に複数の側柵を設けた場合に、隣り合う側柵間の隙間をカバーするためのベッド用連結柵に関する。
【０００２】
【従来の技術】
たとえば、介護用などのベッドにおいては、利用者や利用者に掛けられた寝具などが落下するのを防止するため、ベッドの側部に側柵を設けることができるようにしている。通常、上記側柵は、上記ベッドの側部のサイドフレームに形成された取付け孔に着脱可能に取付けるようにし、不要な場合には取り外すことができるようにしている。
【０００３】
上記側柵の幅寸法は、ベッドの長さ寸法よりも短く形成され、必要に応じて複数の側柵をベッドのサイドフレームに取付けるようにしている。複数の側柵をサイドフレームに取付けると、隣り合う側柵の端部間に隙間が生じることがあり、その場合、その隙間に物や利用者の身体の一部が挟まることがある。そのため、上記隙間を隣り合う側柵の端部を連結する連結柵でカバーするということが行なわれている。
【０００４】
従来、上記連結柵としては特願平８−１８２４８５号公報に示される構成が知られている。この公報に示された連結柵は、隣り合う一対の側柵の上部横枠部材と下部横枠部材とを外側から挟み込み架け渡すようにした、第１の連結横杆と第２の連結横杆とを有し、これら横杆の中途部にはそれぞれ支柱部材を連結し、これら支柱部材を伸縮自在に連結して固定手段で固定することで、一対の側柵間に固定保持するようにいている。
【０００５】
【発明が解決しようとする課題】
ところで、従来の連結柵は、一方の支柱部材に他方の支柱部材をスライド可能に挿入して一対の支柱部材を伸縮自在とし、さらに一方の支柱部材に締め付けボルトを捩じ込むことで、これら一対の支柱部材を固定できるようにしている。
【０００６】
このような構成の連結柵を隣り合う一対の側柵に取付けるためには、締め付けボルトを緩めた状態で、第１の連結横杆と第２の連結横杆とを、側柵の上部横杆部材と下部横杆部材とを挟む状態に位置決めし、その状態で締め付けボルトを締め込まなければならない。
【０００７】
つまり、一対の横杆部材を所定の位置に位置決めし、その位置決め状態を保持しながら締め付けボルトを締め込まなければならない。そのため、連結柵の取付け作業がし難いということがあるばかりか、一対の支柱部材や締め付けボルトが必要となることで、部品点数の増大や構造の煩雑化を招くということがある。
【０００８】
この発明は、簡単な構造であって、しかも隣り合う一対の側柵に対して容易に取付けたり、取り外すことができるようにしたベッド用連結柵を提供することにある。
【０００９】
【課題を解決するための手段】
請求項１の発明は、ベッドの側部に設けられる複数の側柵間の隙間をカバーするベッド用連結柵であって、
基部材と、
この基部材に一端部が回動可能に連結された連結柵と、
上記基部材に設けられこの基部材を隣り合う一方の側柵の上部に係止手段を介して着脱可能に取付ける第１の帯状部材と、
上記連結柵の他端部に設けられこの他端部を隣り合う他方の側柵の上部に係止手段を介して着脱可能に取付ける第２の帯状部材とを具備し、
上記第２の帯状部材による上記連結柵の他端部の取付け状態を解除したときに、この連結柵は一方の側柵の上部に回動可能であることを特徴とするベッド用連結柵にある。
【００１１】
この発明によれば、連結柵を係止手段を有する帯状部材によって側柵に取付けるため、その取付け作業や取外し作業を容易に行なうことが可能となる。
【００１２】
【発明の実施の形態】
以下、図面を参照しながらこの発明の実施の形態を説明する。
【００１３】
図１乃至図４はこの発明の第１の実施の形態を示し、図１はベッドのサイドフレーム１に一対の側柵２を取付けた状態を示す斜視図である。すなわち、側柵２は枠部３を有し、この枠部３の下辺４ａには一対の脚部５が設けられている。これら脚部５は上記サイドフレ−ム１の上面に開口形成された取付け孔６に着脱可能に挿入される。それによって、一対の側柵２は上記サイドフレーム１に着脱可能に支持されるようになっている。
【００１４】
隣り合う一対の側柵２間には隙間７が形成され、この隙間７の上端は連結柵８によって塞がれている。この連結柵８は断面形状が円弧状をなした部材からなり、この連結柵８の一端部側は切り欠き部９によって帯板部１１に形成されている。
【００１５】
図２と図３に示すように、上記帯板部１１の下面末端部には、断面円弧状で、連結柵８に比べて長さ寸法が十分に短い基部材１２がピン１３によってガタのある状態で回動可能に連結されている。この基部材１２と上記帯板部１１との間には隙間があり、この隙間にはウレタンフォームなどの弾性部材１４が設けられている。
【００１６】
それによって、連結柵８は、ピン１３を支点として上記基部材１２に対してピン１３の軸線と交差する方向である、水平方向に回動可能であるとともに、上記弾性部材１４を弾性変形させながらピン１３に連結された一端を支点として他端を上記水平方向と交差する上下方向に変位させることができるようになっている。
【００１７】
上記基部材１２の外面の径方向一端には布地や合成樹脂フィルムなどの可撓性の材料からなる第１の帯状部材１５が長手方向を周方向に向けて一端部の内面を固着して設けられている。この第１の帯状部材１５の他端部の内面には係止手段としての第１の面ファスナ１６が設けられている。上記基部材１２の外面の径方向他端には、図４に示すように上記第１の面ファスナ１６が着脱可能に係脱する係止手段としての第２の面ファスナ１７が固着されている。
【００１８】
上記連結柵８の他端部の外面の径方向一端部には、第１の帯状部材１５と同様、可撓性を有する材料によって帯状に形成された第２の帯状部材２１が長手方向を周方向に向けて一端部の内面を固着している。この第２の帯状部材２１には、一端部の外面に係止手段としての第３の面ファスナ２３が取着され、他端部の内面に上記第３の面ファスナ２３に着脱可能に係着する係止手段としての第４の面ファスナ２４が取着されている。
【００１９】
上記構成の連結柵８は、図１に示すように一端部に設けられた基部材１２を隣り合う一対の側柵２の一方の上辺４ｂに係合載置し、他端部を他方の側柵８の上辺４ｂに係合させて載置する。
【００２０】
ついで、上記基部材１２に一端が取着された第１の帯状部材１５の他端部を、図４に示すように一方の側柵２の上辺４ｂの下側を通して上記基部材１２の径方向他端側に回し、その径方向他端側に設けられた第２の面ファスナ１７に、第１の帯状部材１５の他端に設けられた第１の面ファスナ１６を係着する。それによって、連結柵８の一端に連結された基部材１２が一方の側柵２の上辺４ｂに固定されることになる。
【００２１】
つぎに、連結柵８の他端に設けられた第２の帯状部材２１を他方の側柵２の上辺４ｂの下側を通して連結柵８の他端部の周方向に回し、その他端部の内面に設けられた第４の面ファスナ２３を一端部の外面に設けられた第３の面ファスナ２２に係着する。それによって、基部材１２の他端部は他方の側柵２の上辺４ｂに固定されることになる。
【００２２】
このように、隣り合う一対の側柵２の上辺４ｂ間に、これら側柵２間の隙間７の開放端をカバーする状態で連結柵８を設ければ、この連結柵８によって上記隙間７に物や利用者の身体の一部などが挟まるのを防止することができる。
【００２３】
上記連結柵８は、上記隙間７の開放した上端だけしかカバーしていない。しかしながら、通常、一対の側柵２間の隙間７に物や身体の一部を挟み込んで容易に抜くことができない事態になるのは、その隙間７の上端から挟み込んだときであって、側方から挟み込んだときには、たとえば挟み込んだ方向と同方向に引くことで容易に抜くことができる。そのため、連結柵８によって隙間７の上端をカバーすれば、その隙間７に物や身体の一部などを抜けない状態に挟み込むのを防止することができる。
【００２４】
連結柵８が取付けられた状態で、たとえば一方或いは両方の側柵２をサイドフレーム１から取り外す場合には、連結柵８の他端部を側柵２の上辺４ｂに固定した第２の帯状部材２１の第３の面ファスナ２２と第４の面ファスナ２３との係着を外す。
【００２５】
ついで、図１に鎖線で示すように連結柵８を基部材１２に枢着されたピン１３を支点として一方の側柵２側へ回動させ、その上辺４ｂに係合載置する。このとき、連結柵８の断面形状が円弧状であるため、この連結柵８は他方の側柵２の上辺４ｂに当たって円滑に回動させることができない虞があるが、ピン１３との連結部分には基部材１２と連結柵８との間に弾性部材１４が設けられている。
【００２６】
そのため、弾性部材１４を弾性変形させることで、連結柵８はピン１３に枢着された一端部を支点として他端部を上方へ変位させることができるから、他端部を上方へ持ち上げながら水平方向に回動させれば、他方の側柵２の上辺４ｂに当たることなく円滑に回動させることができる。
【００２７】
このように、連結柵８を回動させれば、この連結柵８による一対の側柵２の連結状態が解除されるから、一方の側柵２或いは他方の側柵２のいずれであってもサイドフレーム１から取り外すことができる。
【００２８】
上記連結柵８は、側柵２をサイドフレーム１から取り外しても、一方の側柵２に取付けられている。そのため、連結柵８は側柵２と一体の状態で保管できるから、紛失するのを防止できるばかりか、取り扱いが容易である。
【００２９】
なお、連結柵８を一方の側柵２側へ回動させたならば、この連結柵８の他端に設けられた第２の帯状部材２１によってその他端部を一方の側柵２の上辺４ｂに保持固定すれば、連結柵８が側柵２に対してがた付くことがなくなるから、その側柵２の取り扱いが容易となる。
【００３０】
このように、一対の側柵２に対する連結柵８の取付けは、第１、第２の連結部材１５，２１を、それぞれ各側柵の上辺４ｂに巻き付け、その巻き付け状態を面ファスナ１６，１７及び２２，２３を係着させることで保持すればよい。したがって、側柵２に対する連結柵８の取付け作業を簡単かつ迅速に行なうことができる。
【００３１】
また、連結柵８の取外し作業は、連結柵８の他端の第２の帯状部材２１の面ファスナ２２，２３の係着状態を外し、上記連結柵８をピン１３を支点として回転させればよいから、取付け作業と同様、簡単かつ迅速に行なうことができる。
【００３２】
図５と図６はこの発明の第２の実施の形態を示す。この第２の実施の形態の連結柵８Ａは不要時に一対の側柵２から取り外すようになっている。つまり、連結柵８Ａは断面半円形状をなしていて、その一端部と他端部との外面には、布地やフィルム状の合成樹脂などによって形成された可撓性の第１の帯状部材３１と第２の帯状部材３２との一端部が固着されている。各帯状部材３１，３２の一端部の外面にはそれぞれ係止手段としての第１の面ファスナ３３が取付けられ、他端部の内面には係止手段としての第２の面ファスナ３４が取付けられている。
【００３３】
上記連結柵８Ａは、サイドフレーム１に設けられた一対の側柵２の一方の上辺４ａに一端部を係合させ、他端部を他方の側柵２の上辺４ｂに係合させて載置される。ついで、一端部と他端部とに設けられた第１、第２の帯状部材３１，３２をそれぞれ各側柵２の上辺４ａの下側を通して連結柵８Ａに巻回し、他端部の内面に設けられた第２の面ファスナ３４を一端部の外面に設けられた第１の面ファスナ３３に係着させる。それによって、連結柵８Ａは一対の側柵２間の隙間７の上端開放部分をカバーする状態で取付けられることになる。
【００３４】
また、一対の側柵２の一方或いは両方をサイドフレーム１から取り外す際には、第１、第２の帯状部材３１，３２による連結柵８Ａの取付け状態を解除し、この連結柵８Ａを取り外せば、各側柵２をサイドフィレ−ム１から取り外すことができる。
【００３５】
このような構成の連結柵８Ａによれば、上記第１の実施の形態と同様、一対の側柵２に対して連結柵８Ａの取付けや取外しを容易に、しかも迅速に行なうことができる。しかも、連結柵８Ａの一端部と他端部とにそれぞれ面ファスナ３３，３４を有する第１、第２の帯状部材３１，３２を設けるだけでよいから、わずかな部品点数で、簡単な構成とすることができる。
【００３６】
この発明における連結柵８，８Ａの断面形状は半円形状に限られず、帯板状や丸棒状などであっても差し支えなク、その形状は限定されるものでない。
【００３７】
また、係止手段として面ファスナに限定されず、ボタンやホックなどの帯状部材を所定部位に巻いた状態で止めることができる他の手段であっても差し支えない。
【００３８】
【発明の効果】
以上のようにこの発明によれば、隣り合う一対の側柵の隙間の上端部をカバーする連結柵を、係止手段を有する帯状部材によって側柵に着脱可能に取付けるようにした。
【００３９】
そのため、連結柵の構成を簡単にすることができ、しかもその取付けや取外し作業を容易に、しかも迅速に行なうことが可能となる。
【図面の簡単な説明】
【図１】  この発明の第１の実施の形態を示す連結柵が取付けられた一対の側柵の斜視図。
【図２】  連結柵の斜視図。
【図３】  連結柵の長手方向に沿う断面図。
【図４】  基部材を側柵に帯状部材によって取付けた状態の断面図。
【図５】  この発明の第２の実施の形態を示す連結柵が取付けられた一対の側柵の斜視図。
【図６】  連結柵の斜視図。
【符号の説明】
２…側柵
８，８Ａ…連結柵
１５，３１…第１の帯状部材
１６，３３…第１の面ファスナ（係止手段）
１７，３４…第２の面ファスナ（係止手段）
２１，３２…第２の帯状部材
【図１】
0003910863.tif 000002
【図２】
0003910863.tif 000003
【図３】
0003910863.tif 000004
【図４】
0003910863.tif 000005
【図５】
0003910863.tif 000006
【図６】
0003910863.tif 000007